(57)【要約】【課題】  種々の色での表示が可能であり、且つ、表示輝度が低くなる虞が少ない有機ＥＬパネルを提供する。【解決手段】  有機ＥＬパネルは、第一電極１７と有機層２０と第二電極２１とを有する積層体１３を基板１２に形成したものである。積層体１３は、有機層２０が発した光の色を変換させる有色層１４と、有機層２０が発した光を透過させる透明層１５と、有色層１４及び透明層１５を覆う平滑化層１６と、を更に有する。第一電極１７はストライプ状に形成された陽極部１７ａを有し、第二電極２１は陽極部１７ａに交差する方向のストライプ状に形成された陰極部２１ａを有する。陽極部１７ａと陰極部２１ａの対向箇所からなりマトリクス状に設けられた画素Ｓ１，Ｓ２に、有色層１４及び透明層１５の一方が夫々設けられている。【選択図】  図６
2006012434.tif 000002
【特許請求の範囲】
【請求項１】
少なくとも第一電極と有機層と第二電極とを有する積層体を基板に形成した有機ＥＬパネルにおいて、
前記積層体は、前記有機層が発した光の色を変換させる有色層と、前記有機層が発した光を透過させる透明層と、前記有色層及び前記透明層を覆う平滑化層と、を更に有し、前記第一電極は前記平滑化層に形成されてなることを特徴とする有機ＥＬパネル。
【請求項２】
前記第一電極はストライプ状に形成された陽極部を有し、前記第二電極は前記陽極部に交差する方向のストライプ状に形成された陰極部を有することを特徴とする請求項１に記載の有機ＥＬパネル。
【請求項３】
前記陽極部と前記陰極部の対向箇所からなりマトリクス状に設けられた画素に、前記有色層及び前記透明層の一方が夫々設けられてなることを特徴とする請求項２に記載の有機ＥＬパネル。
【請求項４】
前記有機層が発する光は白色であることを特徴とする請求項１に記載の有機ＥＬパネル。
【発明の詳細な説明】
【技術分野】
【０００１】
本発明は、第一電極と第二電極の間に有機層を挟持した有機ＥＬ素子を含む積層体を基板上に形成した有機ＥＬパネルに関するものである。
【背景技術】
【０００２】
従来より、有機ＥＬパネルを種々提案されており、例えば特許文献１に開示されている。有機ＥＬパネル１は、ガラス基板２上に積層体３を形成したものであり、この積層体３は、第一電極４，絶縁層５，有機層６，アルミニウム（Al）からなる第二電極７を有する（図８参照）。第一電極４は、ＩＴＯ（Indium Tin Oxide）からなるものである。有機層６は、蒸着等の方法によって正孔注入層，正孔輸送層，発光層，電子輸送層及び電子注入層を順次形成したものである。
【０００３】
積層体３は封止ガラス８に覆われており、この封止ガラス８はガラス基板２に紫外線硬化性の接着剤９で固着されている。第一電極４は、陽極部４ａと、陰極端子部４ｂとを有している。有機層６は、陽極部４ａと第二電極７に挟持されており、第二電極７は、陰極端子部４ｂに電気的に接続されている。陽極部４ａ及び陰極端子部４ｂに電源を接続し、陽極部４ａと第二電極７の間に駆動電圧を印加することにより、有機層６が発光する。
【０００４】
また、有機層６が発した光を着色させるカラーフィルタを用いた有機ＥＬパネルが提案されており、例えば特許文献２に開示されている。斯かる有機ＥＬパネルは、Ｒ（赤），Ｇ（緑），Ｂ（青）の３色のカラーフィルタを有するものであって、有機層６が発した白色光がカラーフィルタを透過することによって色変換され、カラー表示が可能になるものである。
【特許文献１】特開２００３−２８８９８４号公報
【特許文献２】特開２００３−２１７８５２号公報
【発明の開示】
【発明が解決しようとする課題】
【０００５】
しかしながら、カラーフィルタは所定の透過率（例えば５０％）を有しており、有機層６が発した光をカラーフィルタによって他の色に変換すると、カラーフィルタを用いない場合と比較して、有機ＥＬパネル１の表示輝度が低くなるという問題を有していた。この問題を解決するため、駆動電圧を上げることによって、有機層６の発光輝度を上げることが考えられるが、駆動電圧を上げると有機ＥＬパネル１の寿命が短くなるので、駆動電圧を高くすることは好ましくない。
本発明は、この問題に鑑みなされたものであり、種々の色での表示が可能であり、且つ、表示輝度が低くなる虞が少ない有機ＥＬパネルを提供するものである。
【課題を解決するための手段】
【０００６】
本発明は、前記課題を解決するため、請求項１に記載したように、少なくとも第一電極１７と有機層２０と第二電極２１とを有する積層体１３を基板１２に形成した有機ＥＬパネル１１において、前記積層体１３は、前記有機層２０が発した光の色を変換させる有色層１４と、前記有機層２０が発した光を透過させる透明層１５と、前記有色層１４及び前記透明層１５を覆う平滑化層１６と、を更に有し、前記第一電極１７は前記平滑化層１６に形成されてなるものである。
【０００７】
また、本発明は、請求項２に記載したように、前記第一電極１７はストライプ状に形成された陽極部１７ａを有し、前記第二電極２１は前記陽極部１７ａに交差する方向のストライプ状に形成された陰極部２１ａを有するものである。
【０００８】
また、本発明は、請求項３に記載したように、前記陽極部１７ａと前記陰極部２１ａの対向箇所からなりマトリクス状に設けられた画素Ｓ１，Ｓ２，Ｓ３，Ｓ４に、前記有色層１４及び前記透明層１５の一方が夫々設けられてなるものである。
【０００９】
また、本発明は、請求項４に記載したように、前記有機層２０が発する光は白色であるものである。
【発明の効果】
【００１０】
有機層が発した光は、透明層１５での減衰が小さいため、表示輝度が低くなる虞が少なく、且つ、種々の色での表示が可能である。
【発明を実施するための最良の形態】
【００１１】
以下、本発明の一実施形態を添付の図面に基づいて説明する。図１乃至図６は第一実施形態を示すものである。
有機ＥＬパネル１１は、ガラス基板１２上に積層体１３を形成したものである。積層体１３は、有色層１４，透明層１５，平滑化層１６，第一電極１７，絶縁層１８，リブ部１９，有機層２０，第二電極２１を有している。
【００１２】
有色層１４は、アンバー色のカラーフィルタからなるものであり、ガラス基板１２に形成されている。透明層１５は、略無色のフィルタからなるものであり、ガラス基板１２に形成されている。透明層１５の透過率は、波長が４７０ｎｍ付近で７０％以上、且つ、５００ｎｍ付近で７０％以上であることが望ましい。有色層１４及び透明層１５は、正面視で矩形状になっており、有色層１４と透明層１５とが所定間隔を開けて横方向で交互に配置されている。平滑化層１６は、アクリル系材料からなるものであり、有色層１４及び透明層１５を覆うようにガラス基板１２に形成されている。
【００１３】
第一電極１７は、酸化インジウム（In２O３）と酸化スズ（SnO２）の混合物であるＩＴＯ（Indium
Tin Oxide）からなるものであり、スパッタリング或いは蒸着等の手段によって、平滑化層１６上に形成されている。第一電極１７は、所定間隔をあけて配置された縦方向のストライプ状の陽極部１７ａと、第二電極２１の陰極部２１ａに導通される陰極端子部１７ｂとを有している。
【００１４】
絶縁層１８は、ポリイミド系の絶縁材料からなるものであり、フォトリソグラフィー法等の手段によって形成されている。絶縁層１８は、有機層２０よりも広い領域に形成されており、マトリクス状に配置されたサブピクセルＳ１，Ｓ２（画素）に対応する矩形の開口１８ａと、陰極端子部１７ｂと陰極部２１ａを電気的に接続させるコンタクトホール１８ｂとを有している。
【００１５】
リブ部１９は、フェノール系の絶縁材料からなるものであり、フォトリソグラフィー法等の手段によって形成されている。リブ部１９は、絶縁層１８上に形成されており、逆テーパ形状になっている。リブ部１９は、陽極部１７ａと直交する方向に平行線状に設けられており、有機層２０及び第二電極２１をストライプ状に分断する。
【００１６】
有機層２０は、正孔注入層２０ａ，正孔輸送層２０ｂ，発光層２０ｃ及び電子輸送層２０ｄからなるものであり、白色発光するものである（図４参照）。なお、有機層２０は、少なくとも発光層２０ｃがあれば良いが、本実施形態のように正孔注入層２０ａ，正孔輸送層２０ｂ及び電子輸送層２０ｄを設けることにより、発光輝度を向上させることができる。第二電極２１は、アルミニウム（Al）からなるものであり、リブ部１９によって、第一電極１７の陽極部１７ａに直交する方向のストライプ状に分断され、陰極部２１ａが形成されている。
【００１７】
有機ＥＬパネル１１のピクセルＰは、一対のサブピクセルＳ１，Ｓ２から構成されている（図５参照）。サブピクセルＳ１には有色層１４が設けられておりサブピクセルＳ２には透明層１５が設けられている。
【００１８】
本実施形態によれば、サブピクセルＳ１及びサブピクセルＳ２を適宜オン／オフさせることにより、種々の色での表示が可能になる。且つ、サブピクセルＳ２においては、有機層２０が発した光は、透明層１５での減衰が小さいため、表示輝度が従来よりも高くなる。なお、サブピクセルＳ１においては、有色層１４の透過率に応じて表示輝度が低くなるが、ピクセルＰとしては従来よりも表示輝度が向上する。
【００１９】
なお、図７に示す第二実施形態のように、サブピクセルＳ３の幅をサブピクセルＳ４の幅よりも小さくすることによって、サブピクセルＳ３の面積をサブピクセルＳ４の面積の１／２にして、サブピクセルＳ３には有色層２４を設け、サブピクセルＳ４には透明層２５を設けても良く、第一実施形態と同様な効果を得ることができる。
【００２０】
また、本発明は、第一，第二実施形態に限定されるものではなく、種々の変形が可能であり、例えば、有色層１４，２４はアンバー色に限定されるものではなく、他の色であっても良い。
【図面の簡単な説明】
【００２１】
【図１】本発明の第一実施形態を示す正面図。
【図２】同上実施形態を示す断面図。
【図３】同上実施形態を示す断面図。
【図４】同上実施形態を示す有機層の拡大正面図。
【図５】同上実施形態を示すピクセルの拡大図。
【図６】同上実施形態を示す要部拡大断面図。
【図７】本発明の第二実施形態を示すピクセルの拡大図。
【図８】従来例を示す断面図。
【符号の説明】
【００２２】
１１    有機ＥＬパネル
１２    ガラス基板（基板）
１３    積層体
１４    有色層
１５    透明層
１６    平滑化層
１７    第一電極
１７ａ  陽極部
１７ｂ  陰極端子部
２０    有機層
２１    第二電極
２１ａ  陰極部
Ｐ      ピクセル
Ｓ１    サブピクセル（画素）
Ｓ２    サブピクセル（画素）
【図１】
2006012434.tif 000003
【図２】
2006012434.tif 000004
【図３】
2006012434.tif 000005
【図４】
2006012434.tif 000006
【図５】
2006012434.tif 000007
【図６】
2006012434.tif 000008
【図７】
2006012434.tif 000009
【図８】
2006012434.tif 000010